(57)【特許請求の範囲】
【請求項１】
受信映像にサイドパネルが存在するか否かを受信映像に基づいた判別処理によって判断する判断手段と、受信映像からサイドパネルを外した表示用映像を生成する手段と、を備え、
前記判断手段は、両側のサイドパネル相当部分の映像が単色か否かを検出すると共に、非サイドパネル相当部分の映像についても単色か否かを検出し、前記両側のサイドパネル相当部分の前記単色検出の結果が互いに一致し、且つ前記両側のサイドパネル相当部分と前記非サイドパネル相当部分とにおける前記単色検出の結果が互いに一致しない場合に、サイドパネル有りとの判定を行うことを特徴とする放送受信装置。
【請求項２】
請求項１に記載の放送受信装置において、前記単色検出は画面上部に表示されることとなる映像部分を避けて行なうようにしたことを特徴とする放送受信装置。
【請求項３】
請求項１又は請求項２に記載の放送受信装置において、前記判断手段は、前記サイドパネル相当部分の映像について動画／静止画検出を行なうと共に、前記非サイドパネル相当部分の映像については複数領域で動画／静止画検出を行い、前記サイドパネル相当部分の動画／静止画検出結果及び前記非サイドパネル相当部分の複数領域での動画／静止画検出結果を、前記サイドパネル相当部分が静止画と判定された上での前記非サイドパネル相当部分の動画／静止画検出結果として出現し得る複数のパターンと対比し、該当パターンに予め与えている値を規定のフィールド分合計して数値化し、この数値化により得られた値と予め設定している規定値との大小比較によってサイドパネルの有無を判断し、該判断と前記単色検出に基づく判断の両方でサイドパネル有りの判断が得られたのであればサイドパネル有りとの最終判断を行うことを特徴とする放送受信装置。
【請求項４】
請求項３に記載の放送受信装置において、前記パターンのなかでサイドパネル有りとされる可能が高いパターンの前記値を大きな値とすることを特徴とする放送受信装置。
【請求項５】
請求項３又は請求項４に記載の放送受信装置において、受信番組の番組情報に基づき、前記規定値を変化させることを特徴とする放送受信装置。
【発明の詳細な説明】
【０００１】
【産業上の利用分野】
この発明は、ディジタル放送受信装置やアナログテレビジョン受信装置などの放送受信装置に関する。
【０００２】
【従来の技術】
放送映像には、ノーマルの４：３やワイド画面と言われている１６：９のサイズがある。そして、ノーマルの４：３の映像にサイドパネルを付加することによって１６：９の映像化を行なって放送することもある。
【０００３】
【発明が解決しようとする課題】
４：３の映像にサイドパネルを付加することで１６：９の映像化を行なっている場合、放送信号中に「サイドパネル有り」を示す信号が載せられているのであれば、この信号を検出したときに、受信映像からサイドパネルを外す処理を受信装置側で自動的に行なうことが可能である。しかしながら、上記信号が与えられていない場合において、サイドパネルを外す処理を行なうためには、受信装置側でサイドパネルの有無を判断することが必要になる。
【０００４】
この発明は、上記の事情に鑑み、放送信号中に「サイドパネル有り」を示す信号が載せられていなくても、サイドパネルの有無を判断することができる放送受信装置を提供することを目的とする。
【０００５】
【課題を解決するための手段】
この発明の放送受信装置は、上記の課題を解決するために、受信映像にサイドパネルが存在するか否かを受信映像に基づいた判別処理によって判断する判断手段と、受信映像からサイドパネルを外した表示用映像を生成する手段と、を備えたことを特徴とする。
【０００６】
前記判断手段はサイドパネル相当部分の映像が単色か否かを検出すると共に、非サイドパネル相当部分の映像についても単色か否かを検出し、両サイドパネル相当部分の一致／不一致及びサイドパネル相当部分と非サイドパネル相当部分の一致／不一致の結果を判断材料とするようになっていてもよい。前記単色検出は画面上部に表示されることとなる映像部分を避けて行なうのがよい。
【０００７】
前記判断手段はサイドパネル相当部分の映像について動画／静止画検出を行なうと共に、非サイドパネル相当部分の映像については複数領域で動画／静止画検出を行い、サイドパネル相当部分の動画／静止画検出結果及び非サイドパネル相当部分の複数領域での動画／静止画検出結果を判断材料とするようになっていてもよい。この構成において、動画／静止画検出結果として出現し得る複数のパターンに重み値を割り当て、所定期間での重み値の合計と規定値との比較結果を判断材料とするようにしてもよい。また、受信番組の番組情報に基づき、前記規定値を変化させるようになっていてもよい。
【０００８】
前記検出は、受信映像におけるサイドパネル相当部分と非サイドパネル相当部分との境界の所定領域を避けて行なうのがよい。
【０００９】
【発明の実施の形態】
以下、この発明の実施形態を図１乃至図６に基づいて説明する。
【００１０】
図１はこの実施形態のディジタル放送受信装置の要部構成を示したブロック図である。ＢＳディジタルデコーダ１は、チューナ部、デマルチプレクサ（ＤＥＭＵＸ）、ＡＶデコーダなどを備えて成る。チューナ部は、映像・音声データを含む高周波ディジタル変調信号のうちから特定周波数の信号を取り出す。また、チューナ部は、復調回路、逆インタリーブ回路、誤り訂正回路などを備えることにより、選択したディジタル変調信号を復調してトランスポート・ストリームを出力する。デマルチプレクサは、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサは、ビデオストリームとオーディオストリームをＡＶデコーダに供給する。ＡＶデコーダは、ビデオスストリーム及びオーディオストリームに対してデコードを行う。デコードによって生成されたディジタルの映像データは、スケーラー６を経て例えばコンポジットのアナログ映像信号に変換されてＴＶセット本体７の映像入力端子に供給される。
【００１１】
番組情報検出回路５は前述のＰＳＩ／ＳＩを受け取り、これに含まれる番組情報（番組名、番組開始時刻、番組内容情報、番組ジャンル情報等）等をマイクロコンピュータ３に供給する。
【００１２】
信号波形情報検出回路２は、受信映像にサイドパネルが存在するか否かを判断するための判断材料となる情報を生成する。具体的には、サイドパネル相当部分等の映像が単色か否かを検出し、その検出結果を出力する。
【００１３】
図２は、画面表示された映像上でサイドパネル相当部分及び非サイドパネル相当部分を示した説明図である。図において、領域１及び領域５と表記してある部分（時間にして6.0 μｓ〜6.5 μｓ程度）がサイドパネル相当部分である。そして、領域２（時間にして2.0 μｓ〜3.0 μｓ程度）、領域３（時間にして22μｓ〜18μｓ程度）、領域４（領域２と同様）と表記された部分が非サイドパネル相当部分（４：３においては本来の映像部分）であり、この実施形態では、非サイドパネル相当部分における領域２と領域４を検出対象としている。なお、サイドパネル相当部分と非サイドパネル相当部分との境界部分はマージン領域（時間にして1.0 μｓ〜1.5 μｓ程度）とし、この部分は検出対象としていない。また、サイドパネル相当部分の上部には番組のロゴが放送局側で挿入されることがあり、これによって誤検出を生じるおそれがあるので、画面上部は検出対象としていない。
【００１４】
サイドパネルは、単色の映像として本来の４：３の映像に付加されることが多く、サイドパネルが例えば青色とされれば、領域１及び領域５の検出において単色であるとの検出結果が得られる。ただし、１６：９の映像において、短時間ではあるが画面全体が例えば青色とされたり、黒色とされることがあり、上記検出結果のみではサイドパネルが付加されていると結論付けることはできない。そこで、信号波形情報検出回路２は、非サイドパネル相当部分の領域２及び領域４の映像についても単色か否かを検出する。そして、信号波形情報検出回路２は、両サイドパネル相当部分（領域１と領域５）の一致／不一致及びサイドパネル相当部分（領域１及び領域５）と非サイドパネル相当部分（領域２及び領域４）の一致／不一致の結果を出力する。
【００１５】
マイクロコンピュータ３は、領域１と領域５とが一致し且つ領域１及び領域５が領域２及び領域４に一致しないとの結果を信号波形情報検出回路２から受け取ったとき、サイドパネルが付加されていると判断する。
【００１６】
動画／静止画情報検出回路４は、受信映像にサイドパネルが存在するか否かを判断するための判断材料となる情報を生成する。具体的には、サイドパネル相当部分の映像について動画／静止画検出を行なうと共に、非サイドパネル相当部分の映像については複数領域で動画／静止画検出を行い、その検出結果を出力する。動画／静止画検出は、例えばフィールド間での任意画素において変化があれば動画、変化がなければ静止画といった簡単な処理を採用することができる。
【００１７】
図３は、画面表示される映像上でサイドパネル相当部分及び非サイドパネル相当部分を示した説明図である。図において、領域１１及び領域１７と表記してある部分（時間にして6.0 μｓ〜6.5 μｓ程度）がサイドパネル相当部分である。そして、領域１２，領域１３，領域１４，領域１５，領域１６と表記してある部分（時間にして7.8 μｓ程度）が非サイドパネル相当部分（４：３における本来の映像部分）である。なお、サイドパネル相当部分と非サイドパネル相当部分との境界部分はマージン領域（時間にして1.0 μｓ〜1.5 μｓ程度）とし、この部分は検出対象としていない。
【００１８】
サイドパネル相当部分（領域１１及び領域１７）が静止画であると判断された場合において、以下に示す８パターンの状態が考えられる。各パターンを図４（ａ）乃至（ｄ）、及び図５（ａ）乃至（ｄ）に示す。
【００１９】
▲１▼パターン１
領域１２〜領域１６の全てについて動画であるとの判定がなされた場合（図４（ａ）参照）。このパターンではサイドパネルがある可能性が極めて高い。
▲２▼パターン２
領域１２〜領域１６においてまんべんなく動画であるとの判定がなされた場合（図４（ｂ）参照）。このパターンではサイドパネルがある可能性が高い。
▲３▼パターン３
領域１２及び領域１６（サイドパネルの隣部分）において動画であるとの判定がなされ、領域１３〜領域１５の一つ又は複数において動画であるとの判定がなされた場合（図４（ｃ）参照）。このパターンではサイドパネルがある可能性が高い。
▲４▼パターン４
領域１２及び領域１６（サイドパネルの隣部分）において動画であるとの判定がなされ、領域１３〜領域１５では一つも動画であるとの判定がなかった場合（図４（ｄ）参照）。このパターンではサイドパネルがある可能性があるが、無い可能性もある。
▲５▼パターン５
領域１２及び領域１６（サイドパネルの隣部分）のどちらかにおいて動画であるとの判定がなされ、領域１３〜領域１５の一つ又は複数において動画であるとの判定がなされた場合（図５（ａ）参照）。このパターンではサイドパネルがある可能性があるが、無い可能性もある。
▲６▼パターン６
領域１２及び領域１６（サイドパネルの隣部分）のどちらかにおいて動画であるとの判定がなされ、領域１３〜領域１５では一つも動画であるとの判定がなかった場合（図５（ｂ）参照）。このパターンではサイドパネルが無い可能性も高い。
▲７▼パターン７
領域１２及び領域１６（サイドパネルの隣部分）のどちらも動画であるとの判定がなされず、領域１３〜領域１５の一つ又は複数において動画であるとの判定がなされた場合（図５（ｃ）参照）。このパターンではサイドパネルが無い可能性も高い。
▲８▼パターン８
領域１２及び領域１６（サイドパネルの隣部分）のどちらも動画であるとの判定がなされず、領域１３〜領域１５においても一つも動画であるとの判定がなかった場合（図５（ｄ）参照）。全て静止画であり、判定不能である。
【００２０】
上記パターン１乃至パターン５には重み値を与えている。この重み値の順位を下記の表１に示している。パターン６，７，８は重み値０としている。なお、サイドパネル相当部分（領域１１及び領域１７）が静止画でないと判断された場合にはサイドパネル無しと判断するようにしている。
【００２１】
【表１】
0004017408.tif 000002
【００２２】
マイクロコンピュータ３は、動画／静止画情報検出回路４から１フィールドごとに動画／静止画判定結果を取得して前記パターンを判別し、また、前記表１の重み値を図示しないメモリから読み出し、重み合計値を算出する。例えば、６フィールド期間を合計値計算期間とする場合において、パターン１（重み値を１０とする）が１フィールド、パターン３（重み値を２とする）が３フィールド、パターン７（重み値０）が２フィールド検出された場合、合計値＝１０×１＋２×３＋０×２＝１６となる。そして、この合計値と規定値とを比較し、例えば、規定値が１５であれば合計値の方が大きいので、サイドパネル有りとの判定を行なう。
【００２３】
マイクロコンピュータ３は番組情報検出回路５から受信番組の番組情報（番組ジャンル情報等）を受け取り、番組の種類に応じて上記の規定値を設定する。例えば、動きが少ないニュース番組であれば、大きな規定値を設定し、動きが多いスポーツ番組では小さな規制値を設定する。
【００２４】
マイクロコンピュータ３は、合計値が規定値よりも大きくなった時点で前述した合計値算出の処理を止める（サイドパネル有りとの判定状態は維持する）が、動画／静止画判定結果のチェックはその後も続けており、サイドパネル相当部分（領域１１及び領域１７）において動画判定がなされたときには、合計値を０とし、再び合計値算出を開始する。サイドパネルが存在する場合にこれを外すかどうかを予めユーザにメニュー画面等を用いて問うてその指示内容をメモリに格納している。マイクロコンピュータ３は受信映像にサイドパネルが存在するとの最終判断を下し、且つ、サイドパネルを外す指示がユーザによってなされている場合には、スケーラー６に対してサイドパネルを外すよう指示する。
【００２５】
スケーラー６は、マイクロコンピュータ３からサイドパネルを外せとの指示を受けたときには、サイドパネルを外して４：３の表示用映像を生成してＴＶセット本体７に供給する。ＴＶセット本体７のモニタが４：３画面であれば、画面全体に映像を表示できることになる。一方、ＴＶセット本体７のモニタが１６：９画面であればサイドパネルを外した４：３の表示用映像をワイド化処理することで、１６：９画面上でその全体に映像を表示することもできる。
【００２６】
図６はサイドパネル処理を示したフローチャートである。受信信号中にサイドパネル有りの通知が存在していれば（ステップＳ１でＹＥＳ）、単色検出や動画／静止画検出による判断を行なうまでもなく、サイドパネルを外す（ステップＳ５）。サイドパネル有りの通知が存在していなければ（ステップＳ１でＮＯ）、単色検出及び動画／静止画検出によるサイドパネルの有無判定を行なう（ステップＳ２）。両検出は同時的に行なっている。ここで、まず、動画／静止画検出でサイドパネル相当部分が動画であるとされたなら（ステップＳ３でＹＥＳ）、サイドパネルは無しであると判定する（ステップＳ６）。
【００２７】
一方、サイドパネル相当部分で動画検出されなかったなら（ステップＳ３でＹＥＳ）、単色検出または動画／静止画検出のどちらかでサイドパネル有りとの判定が得られたかを判断し（ステップＳ４）、この判断がＹＥＳであれば、最終的にサイドパネル有りとの結論を出し、サイドパネルを外す処理を行なう（ステップＳ５）。ステップＳ４でＮＯとされた場合及びステップＳ６を経た場合には、既にサイドパネルを外しているかどうかを判断し（ステップＳ７）、サイドパネルを既に外していたのなら、サイドパネルを元に戻す（受信映像をそのまま表示する）処理を行なう（ステップＳ８）。
【００２８】
ここで、サイドパネルが絵であるような場合には、前記単色検出ではサイドパネル無しの判定結果となってしまうが、かかる場合でも動画／静止画検出においてサイドパネルの有りとの判定が得られることになり、最終的にサイドパネル有りとの結論を出すことができる。一方、最終的にサイドパネル有りとの結論を出すことに慎重を期するのであれば、単色検出及び動画／静止画検出の両方でサイドパネル有りとの判定が得られた場合に最終的にサイドパネル有りとの結論を出すようにしてもよい。
【００２９】
なお、上記の実施形態では、ディジタル放送波を受信する受信装置を例示したが、アナログ放送波を受信する受信装置においても適用可能である。
【００３０】
【発明の効果】
以上説明したように、この発明によれば、放送信号中に「サイドパネル有り」を示す信号が載せられていなくても、自動的にサイドパネルの有無を判断することができ、また、サイドパネル有りとの判断結果を得たときに、これを受信映像から外すことができる。
【図面の簡単な説明】
【図１】この発明の実施形態のディジタル放送受信装置を示したブロック図である。
【図２】画面表示される映像上でサイドパネル相当部分及び非サイドパネル相当部分を示した説明図である。
【図３】画面表示される映像上でサイドパネル相当部分及び非サイドパネル相当部分を示した説明図である。
【図４】同図（ａ）乃至同図（ｄ）はそれぞれ動画／静止画判定におけるパターンを示した説明頭である。
【図５】同図（ａ）乃至同図（ｄ）はそれぞれ動画／静止画判定におけるパターンを示した説明頭である。
【図６】サイドパネル処理を示したフローチャートである。
【符号の説明】
１    ＢＳディジタルデコーダ
２    信号波形情報検出回路
３    マイクロコンピュータ
４    動画／静止画情報検出回路
５    番組情報検出回路
６    スケーラー
７    ＴＶセット本体
【図１】
0004017408.tif 000003
【図２】
0004017408.tif 000004
【図３】
0004017408.tif 000005
【図４】
0004017408.tif 000006
【図５】
0004017408.tif 000007
【図６】
0004017408.tif 000008